(57)【特許請求の範囲】
【請求項１】
情報提供者から提供された情報を情報被配信者に対して配信する情報配信システムにおいて、
利用者毎に登録されたリンク情報を保存し、該保存したリンク情報を対応する利用者に利用させる情報管理装置と、
情報提供者である利用者が利用する情報提供装置と、
情報被配信者である利用者が利用する情報被配信装置と
を具備し、
前記情報管理装置が、前記情報提供装置に該情報提供装置の利用者に対応するリンク情報を提示し、
前記情報提供装置が、前記情報管理装置により提示されたリンク情報のうち、前記情報被配信者に配信するリンク情報を指定し、
前記情報管理装置が、前記情報提供装置により指定されたリンク情報を複製し、該複製したリンク情報を前記情報被配信者に対応するリンク情報として保存する
ことを特徴とする情報配信システム。
【発明の詳細な説明】
【０００１】
【技術分野】
本発明は、情報配信システムに関し、特に、ユーザは配信された情報を他のユーザに自由に譲渡することで、柔軟にかつ幅広く情報の配信を行うことができる情報配信システムに関する。
【０００２】
【従来の技術】
近年、インターネットへの接続環境が整備されるとともに、多くの人がインターネットを利用する機会が得られるようになってきた。
【０００３】
このような背景の元、インターネットを利用した多種多様のサービスが提供され始めている。インターネットを利用したサービスとしては、例えば、情報の配信サービスがある。
【０００４】
一般に、情報の配信サービスとは、電子メールやウェブページを利用して、情報提供者が登録した様々な情報をユーザが閲覧する。
【０００５】
【発明が解決しようとする課題】
しかし、従来の情報の提供サービスは、情報提供者が登録する情報をウェブ情報として整理し、Ｈｔｍｌ（ｈｙｐｅｒ  ｔｅｘｔ  ｍａｒｋ−ｕｐ  ｌａｎｇｕａｇｅ）として体系に乗っ取ったサーバにアップロードする必要があり、部門で管理しているサーバ若しくはノウハウ集としてまとめた情報格納しかなかった。
【０００６】
そこで、本発明は、閲覧するユーザは情報の提供サービスから得た情報を、各ユーザの必要性に応じて、各ユーザ毎のウェブ情報として整理格納でき、この整理格納したウェブ情報をユーザ間で受け渡しができることで、柔軟にかつ幅広く情報の配信を行うことができる情報配信システムを提供することを目的とする。
【０００７】
上記目的を達成するため、請求項１の発明は、情報提供者から提供された情報を情報被配信者に対して配信する情報配信システムにおいて、利用者毎に登録されたリンク情報を保存し、該保存したリンク情報を対応する利用者に利用させる情報管理装置と、情報提供者である利用者が利用する情報提供装置と、情報被配信者である利用者が利用する情報被配信装置とを具備し、前記情報管理装置が、前記情報提供装置に該情報提供装置の利用者に対応するリンク情報を提示し、前記情報提供装置が、前記情報管理装置により提示されたリンク情報のうち、前記情報被配信者に配信するリンク情報を指定し、前記情報管理装置が、前記情報提供装置により指定されたリンク情報を複製し、該複製したリンク情報を前記情報被配信者に対応するリンク情報として保存することを特徴とする。
【００１１】
以下、本発明に係わる情報配信システムの実施の形態について添付図面を参照して詳細に説明する。
【００１２】
図１は、本発明に係わる情報配信システムの概略構成を示す図である。
【００１３】
図１に示すように、本発明に係わる情報配信システムは、概略として、ネットワーク１０１に接続しているＬＡＮ１０２、ＬＡＮ１０２にネットワーク端末として接続されている共有システムサーバ１０３および共有システムサーバ１０３のクライアントであるユーザＰＣ１０４（１０４−Ａ，１０４−Ｂ）、また、ネットワーク１０１に散在しているＡ，Ｂ，Ｃ，Ｄ情報１０５（１０５−Ａ，１０５−Ｂ，１０５−Ｃ，１０５−Ｄ）を備えて構成されている。ただし、ネットワーク１０１は企業内ＬＡＮ、ＷＡＮおよびインターネット等を含んでいる。
【００１４】
共有システムサーバ１０３はユーザＰＣ１０４（１０４−Ａ，１０４−Ｂ）から提供された情報のＵＲＬ（Ｕｎｉｆｏｒｍ  Ｒｅｓｏｕｒｃｅ  Ｌｏｃａｔｏｒ）を登録し、ユーザから情報配信の要求がある時に、登録した情報のＵＲＬをユーザＰＣ１０４（１０４−Ａ，１０４−Ｂ）に配信する。そして、共有システムサーバ１０３から配信されたＡ，Ｂ，Ｃ，Ｄ情報１０５（１０５−Ａ，１０５−Ｂ，１０５−Ｃ，１０５−Ｄ）のＵＲＬに基づきユーザはユーザＰＣ１０４（１０４−Ａ，１０４−Ｂ）から各情報にアクセスする。
【００１５】
次に、この構成による一連の動作について説明する。
【００１６】
本発明に係わる情報配信システムにログインし、使用するために、ユーザはユーザ登録を行う必要がある。
【００１７】
図２は、ウェブブラウザに表示されるユーザ登録画面の一構成例を示す図である。
【００１８】
ユーザは、ウェブブラウザにより所定のＵＲＬへアクセスすることで、図２に示すユーザ登録画面２０１が表示される。
【００１９】
図２に示すように、ユーザはユーザ登録画面２０１に氏名、社員番号、電子メール（Ｅ−ＭＡＩＬ）アドレスおよびパスワード等の個人情報を入力し、更に、ユーザが回覧を希望する情報の分類を選択する。例えば、図２に示す実施例では、Ａ情報を選択するためのチェックボックス２０２にチェックが付いているので、ユーザはＡ情報に関する情報のみを受け取ることになる。
【００２０】
全ての項目に必要事項を入力して、最後に保存ボタン２０３をクリックすることで、エラーチェックを行い、エラーがない場合は入力した情報が共有システムサーバ１０３に登録され、ユーザは本発明に係わる情報配信システムにログインし、ユーザ別ホームページにアクセスすることができる。ここで、ユーザ別ホームページとは、共有システムサーバ１０３に登録された情報をユーザ毎に整理格納するウェブページであり、次に詳細な説明をする。
【００２１】
図３は、ウェブブラウザに表示されるユーザ別ホームページ画面の一構成例を示す図である。
【００２２】
ユーザは本発明に係わる情報配信システムにログインすると、図３に示すユーザ別ホームページ画面３０１が表示される。
【００２３】
図３に示すように、ユーザ別ホームページ画面３０１は、フォルダフレーム、メインフレーム、コマンドフレームの３フレームにて構成されている。
【００２４】
図４は、ユーザ別ホームページ画面のフォルダフレームの一構成例を示す図である。
【００２５】
ユーザ別ホームページ画面３０１のフォルダフレームには、新着情報フォルダ４０１、更新情報フォルダ４０２およびお気に入りフォルダ４０３等のフォルダ情報が出力されている。
【００２６】
新着情報フォルダ４０１をクリックすることで、ユーザがログインした日を基準に、先週の日曜日から土曜日の１週間と、今日までに登録された情報が新着情報としてメインフレームに表示され、更新情報フォルダ４０２をクリックすることで、ユーザがログインした日を基準に、先週の日曜日から土曜日の１週間と、今日までに更新された情報が更新情報としてメインフレームに表示される。
【００２７】
お気に入りフォルダ４０３は各ユーザ毎に情報を保存するために作成されたフォルダで、図４に示す実施例では、お気に入りフォルダ４０３として「Ｆａｖｏｒｉｔｅ１」フォルダ、「Ｆａｖｏｒｉｔｅ２」フォルダ、「Ｆａｖｏｒｉｔｅ３」フォルダおよび「Ｆａｖｏｒｉｔｅ４」フォルダが設定されていて、ユーザは新着情報フォルダ４０１および更新情報フォルダ４０２に表示されている情報をお気に入りフォルダ４０３の中の好きなフォルダ（実施例では、「Ｆａｖｏｒｉｔｅ１」、「Ｆａｖｏｒｉｔｅ２」、「Ｆａｖｏｒｉｔｅ３」、「Ｆａｖｏｒｉｔｅ４」のうちのどれか）に保存することができ、各お気に入りフォルダ４０３をクリックすることで、保存された情報がメインフレームに表示される。
【００２８】
図５は、ユーザ別ホームページ画面のメインフレームの一構成例を示す図である。ただし、お気に入りフォルダ４０３の表示画面を実施例にして、ユーザ別ホームページ画面のメインフレームについて説明する。
【００２９】
図５に示すように、ユーザ別ホームページ画面のメインフレームには、ユーザが保存したお気に入りの情報が日付順に表示されていて、情報５０１内にはタイトル５０２、説明文５０３、登録者名５０４、鍵マーク５０５、不要チェックボックス５０６およびお気に入りフォルダコンボボックス５０７が表示されている。
【００３０】
ウェブリンク情報であるタイトル５０２がＵＲＬ情報の場合、タイトル５０２をクリックするとリンク先に移動し、タイトル５０２がファイル情報の場合、タイトル５０２をクリックするとファイルのダウンロードを開始する。
【００３１】
また、鍵マーク５０５は情報の登録者の承認を得ない限り、リンク先への移動若しくはファイルのダウンロードをすることができないことを表す。ユーザは情報の登録者の承認を得るために、鍵マーク５０５が表示している情報のタイトル５０２をクリックすることで、情報の登録者に公開要求電子メールが自動送信され、情報の登録者が情報の公開を承認すると、ユーザに公開要求結果メールが自動送信され、鍵マーク５０５の表示が消え、ユーザはタイトル５０２からリンク先への移動若しくはファイルのダウンロードをすることができる。
【００３２】
また、不要チェックボックス５０６にチェックし、実行ボタン５１０をクリックすることで、情報をお気に入りフォルダ４０３内から削除でき、お気に入りフォルダコンボボックス５０７でお気に入りフォルダ名を指定し、実行ボタン５１０をクリックすることで、指定したお気に入りフォルダに情報を移動することができる。
【００３３】
更に、重要度コンボボックス５０８で重要度を指定することで、情報を重要度順に表示させることができ、各お気に入り情報毎のメモ等をＭＥＭＯ５０９に入力することもできる。
【００３４】
図６は、ユーザ別ホームページ画面のコマンドフレームの一構成例を示す図である。
【００３５】
図６に示すように、ユーザ別ホームページ画面のコマンドフレームには、複数のリンクが表示されている。例えば図６に示す実施例では、「新規に情報を登録」のリンク６０１をクリックすることで、メインフレームに新規情報登録画面を表示し、「登録済みの情報を変更」のリンク６０２は情報編集画面を表示し、「情報の検索」のリンク６０３は情報検索画面を表示し、「お気に入りプレゼント」のリンク６０４はお気に入りフォルダプレゼント画面を表示し、「個人情報設定」のリンク６０５はユーザ情報設定画面を表示し、「お気に入りフォルダ設定」のリンク６０６はお気に入りフォルダ設定画面を表示する。
【００３６】
ここで、ユーザがお気に入りフォルダの新規追加、既に設定済みのお気に入りフォルダの変更および削除を行う場合、上記説明した図６に示す「お気に入りフォルダ設定」のリンク６０６をクリックし、お気に入りフォルダ設定画面を表示する。
【００３７】
図７は、ウェブブラウザに表示されるお気に入りフォルダ設定画面の一構成例を示す図である。
【００３８】
図７に示すように、ユーザはお気に入りフォルダ設定画面７０１に、設定するフォルダの名称、フォルダフレームに表示されるフォルダ情報の文字色と背景色および優先順位を入力する。また、新規のお気に入りフォルダを設定する場合は、お気に入りフォルダを１つ追加ボタン７０２をクリックすることで、新規のお気に入りフォルダ設定入力欄が表示される。
【００３９】
最後に、保存ボタン７０３をクリックすることで、エラーチェックを行い、エラーがない場合は入力したお気に入りフォルダが共有システムサーバ１０３に登録される。
【００４０】
ここで、ユーザ個人で設定および編集したお気に入りフォルダに登録されている公開情報等のデータを他のユーザへプレゼント（コピー）する場合、上記説明した図６に示す「お気に入りプレゼント」のリンク６０４をクリックし、お気に入りフォルダプレゼント画面を表示する。
【００４１】
図８は、ウェブブラウザに表示されるお気に入りフォルダプレゼント画面の一構成例を示す図である。
【００４２】
図８に示すように、ユーザはお気に入りフォルダプレゼント画面８０１に、プレゼントする相手の電子メール（Ｅ−ＭＡＩＬ）アドレスおよびプレゼントするお気に入りフォルダの名称を入力する。
【００４３】
最後に、保存ボタン８０２をクリックすることで、エラーチェックを行い、エラーがない場合は入力した電子メールアドレスの相手にお気に入りフォルダの情報がプレゼントされ、プレゼントする相手にプレゼントを知らせる電子メールが自動送信される。ここで、プレゼントする相手の電子メールアドレスを識別し、プレゼントする相手が本発明に係わる情報配信システムの登録ユーザである場合、登録ユーザ用の電子メールが自動発信され、また、プレゼントする相手が未登録ユーザである場合、未登録ユーザ用の電子メールが自動発信される。
【００４４】
図９は、ユーザからお気に入りフォルダの情報をプレゼントする相手に自動送信されたプレゼントを知らせる登録ユーザ用の電子メールの一記述例を示す図である。
【００４５】
図９に示すように、プレゼントを知らせる登録ユーザ用の電子メールには、ＡＢＣさん（ユーザ）のお気に入りフォルダの情報（Ｆａｖｏｒｉｔｅ１）がＤＥＦさん（相手）にプレゼントされたことが記述されている。
【００４６】
そして、プレゼントを知らせる登録ユーザ用の電子メールを受信したＤＥＦさんは本発明に係わる情報配信システムにログインして、プレゼントされたお気に入りフォルダを確認すればよい。
【００４７】
図１０は、ユーザからお気に入りフォルダの情報をプレゼントする相手に自動送信されたプレゼントを知らせる未登録ユーザ用の電子メールの一記述例を示す図である。
【００４８】
図１０に示すように、プレゼントを知らせる未登録ユーザ用の電子メールには、ＡＢＣさん（ユーザ）のお気に入りフォルダの情報（Ｆａｖｏｒｉｔｅ１）がＤＥＦさん（相手）にプレゼントされたことが記述されている。更に、ＤＥＦさんは本発明に係わる情報配信システムにユーザ登録していないため、プレゼントを知らせる未登録ユーザ用の電子メールに情報配信システムのユーザ登録画面のＵＲＬを添付する。
【００４９】
そして、プレゼントを知らせる未登録ユーザ用の電子メールを受信したＤＥＦさんは本発明に係わる情報配信システムのユーザ登録画面でユーザ登録を行い、プレゼントされたお気に入りフォルダを確認すればよい。
【００５０】
図１１は、ユーザ別ホームページ画面のプレゼントされたお気に入りフォルダの一構成例を示す図である。
【００５１】
図１１に示すように、ユーザ別ホームページ画面１１０１のフォルダフレームに、ＡＢＣさんからプレゼントされたお気に入りフォルダが「ＡＢＣさんからのプレゼント」という名称で作成されている。
【００５２】
また、ユーザ別ホームページ画面１１０１のメインフレームには、「ＡＢＣさんからのプレゼント」のフォルダの公開情報が表示してある。ここで、ＡＢＣさんがお気に入り情報に入力した重要度およびＭＥＭＯもそのままプレゼントされている。
【００５３】
上記図５に示す実施例において、ＡＢＣさんのユーザ別ホームページに表示された「○○産業講習会のお知らせ」の公開情報には鍵マーク５０５が表示されていないが、「○○産業講習会のお知らせ」の公開情報には元々鍵マーク５０５が表示されていて、ＡＢＣさんはＳＴＵさんに情報の公開を承認してもらい、「○○産業講習会のお知らせ」の公開情報にアクセスすることができていた。そして、ＡＢＣさんがＤＥＦさんにお気に入りフォルダをプレゼントする時、共有システムサーバ１０３は元々鍵が設定されていた公開情報に、再度鍵を設定してから、ＤＥＦさんにお気に入りフォルダをプレゼントする。お気に入りフォルダを受け取ったＤＥＦさんは鍵が設定されている公開情報にアクセスすることを希望する場合、ＳＴＵさんに情報の公開の要求をすればよい。
【００５４】
次に、このような構成による本発明に係わる情報配信装置の動作について説明する。
【００５５】
ここで、共有システムサーバによるお気に入りフォルダをプレゼントする処理手順について図１２が示すフローチャートを参照して説明する。ユーザがお気に入りフォルダプレゼント画面８０１に、プレゼントする相手の電子メールアドレスおよびプレゼントするお気に入りフォルダの名称を入力し、保存ボタン８０２をクリックすると、この処理が開始される。
【００５６】
プレゼントするお気に入りフォルダに登録された情報に、元々鍵が設定されていた情報があるか否か確認し（ステップ１２０１）、元々鍵が設定されていた情報がない場合（ステップ１２０１でＮＯ）、そのままお気に入りフォルダを相手にプレゼントする（ステップ１２０２）。
【００５７】
また、元々鍵が設定されていた情報がある場合（ステップ１２０１でＹＥＳ）、情報に鍵を再度設定し（ステップ１２０３）、お気に入りフォルダを相手にプレゼントする（ステップ１２０２）。
【００５８】
そして、相手の電子メールアドレスを識別し（ステップ１２０４）、相手が本発明に係わる情報配信システムの登録ユーザである場合（ステップ１２０５でＹＥＳ）、プレゼントを知らせる登録ユーザ用電子メールを相手に自動発信し（ステップ１２０６）、処理手順を終了する。
【００５９】
また、相手が本発明に係わる情報配信システムの登録ユーザでない場合（ステップ１２０５でＮＯ）、プレゼントを知らせる未登録ユーザ用電子メールを相手に自動発信し（ステップ１２０７）、処理手順を終了する。
【００６０】
なお、上記実施の形態では、各ユーザ毎に情報を保存するために作成されたお気に入りフォルダの受け渡しについて説明してきたが、お気に入りフォルダ以外のフォルダを受け渡しすることは可能である。例えば、上記新着情報フォルダ、更新情報フォルダ、または特定の目的で情報がリンクされたフォルダ等でもよい。
【００６１】
また、上記実施の形態では、共有システムサーバ１０３が情報リンクグループ（情報のＵＲＬ）を格納していると説明してきたが、クライアントであるユーザＰＣ１０４が情報リンクグループを格納しても、本発明に係わる情報配信システムは同様に適用可能である。
【００６２】
そして、上記実施の形態のように共有システムサーバ１０３が情報リンクグループを格納している場合、プレゼントを知らせる電子メールは共有システムサーバ１０３から相手に送信され、クライアントであるユーザＰＣ１０４が情報リンクグループを格納している場合、プレゼントを知らせる電子メールはユーザＰＣ１０４から相手に送信されることになる。
【００６３】
【発明の効果】
以上説明したように本発明によれば、閲覧するユーザは情報配信システムから得た情報を、各ユーザの必要性に応じて、各ユーザ毎に整理格納し、この整理格納した情報をユーザ間で受け渡しすることで、柔軟にかつ幅広く情報の配信を行うことができる。
【図面の簡単な説明】
【図１】本発明に係わる情報配信システムの概略構成を示す図である。
【図２】ウェブブラウザに表示されるユーザ登録画面の一構成例を示す図である。
【図３】ウェブブラウザに表示されるユーザ別ホームページ画面の一構成例を示す図である。
【図４】ユーザ別ホームページ画面のフォルダフレームの一構成例を示す図である。
【図５】ユーザ別ホームページ画面のメインフレームの一構成例を示す図である。
【図６】ユーザ別ホームページ画面のコマンドフレームの一構成例を示す図である。
【図７】ウェブブラウザに表示されるお気に入りフォルダ設定画面の一構成例を示す図である。
【図８】ウェブブラウザに表示されるお気に入りフォルダプレゼント画面の一構成例を示す図である。
【図９】ユーザからお気に入りフォルダの情報をプレゼントする相手に自動送信されたプレゼントを知らせる登録ユーザ用の電子メールの一記述例を示す図である。
【図１０】ユーザからお気に入りフォルダの情報をプレゼントする相手に自動送信されたプレゼントを知らせる未登録ユーザ用の電子メールの一記述例を示す図である。
【図１１】ユーザ別ホームページ画面のプレゼントされたお気に入りフォルダの一構成例を示す図である。
【図１２】共有システムサーバによるお気に入りフォルダをプレゼントする処理手順について示すフローチャートである。
【符号の説明】
１０１    ネットワーク
１０２    ＬＡＮ
１０３    共有システムサーバ
１０４（１０４−Ａ，１０４−Ｂ）    ユーザＰＣ
１０５（１０５−Ａ，１０５−Ｂ，１０５−Ｃ，１０５−Ｄ）    情報
２０１    ユーザ登録画面
２０２    チェックボックス
２０３    保存ボタン
４０１    新着情報フォルダ
４０２    更新情報フォルダ
４０３    お気に入りフォルダ
５０１    情報
５０２    タイトル
５０３    説明文
５０４    登録者名
５０５    鍵マーク
５０６    不要チェックボックス
５０７    お気に入りフォルダコンボボックス
５０８    重要度
５０９    ＭＥＭＯ
５１０    実行ボタン
６０１    「新規に情報を登録」のリンク
６０２    「登録済みの情報を変更」のリンク
６０３    「情報の検索」のリンク
６０４    「お気に入りプレゼント」のリンク
６０５    「個人情報設定」のリンク
６０６    「お気に入りフォルダ設定」のリンク
７０１    新規情報登録画面
７０２    お気に入りフォルダを１つ追加ボタン
７０３    保存ボタン
８０１    お気に入りフォルダプレゼント画面
８０２    決定ボタン
１１０１    ユーザ別ホームページ画面
【図１】
0004622166.tif 000002
【図２】
0004622166.tif 000003
【図３】
0004622166.tif 000004
【図４】
0004622166.tif 000005
【図５】
0004622166.tif 000006
【図６】
0004622166.tif 000007
【図７】
0004622166.tif 000008
【図８】
0004622166.tif 000009
【図９】
0004622166.tif 000010
【図１０】
0004622166.tif 000011
【図１１】
0004622166.tif 000012
【図１２】
0004622166.tif 000013